(57)【要約】【課題】省電力，高効率低ワット，低発熱などの利点を有する蛍光灯を用いながら、照射光の指向性を任意に調整することができる蛍光灯フラッドライトを提供する。【解決手段】光源面積最小の位置では、各光源２−１〜２−４において管状蛍光灯２ｂ，２ｂが前後に重なって光源から直接照射される光が最小になり反射光が最大になることにより、指向性の高いビーム状の光が得られる。光源面積最大の位置では、各光源２−１〜２−４において管状蛍光灯２ｂ，２ｂが上下に並んで光源から直接照射される光が最大になり反射光が最小になることにより、指向性の低い拡散状の光が得られる。操作摘み４の操作による回動機構５の作動で各光源２−１〜２−４を連続的に回動させ任意の箇所で固定出来るので、前記指向性の高い光と指向性の低い光の間の任意な照射光を得ることができる。【選択図】　図２
2004055215.tif 000002
【特許請求の範囲】
【請求項１】
灯体内に、複数本の管状蛍光灯を並列状に備える光源を一又は複数配すると共に、該光源の後方に設けた反射器により、前記光源の光を前方へ照射するよう形成した蛍光灯フラッドライトであって、
前記光源を、複数本の管状蛍光灯が光の照射方向に対して前後に重なる見掛け上の光源面積最小の位置と、複数本の管状蛍光灯が光の照射方向に対して上下又は左右に並ぶ見掛け上の光源面積最大の位置との間を回動自在となるよう灯体内にて支持する回動機構を備え、
前記回動機構は、操作摘みの回動操作によって相反する方向へ摺動する少なくとも二本のリンク杆を有し、何れか一方のリンク杆の適所に光源の端部を回動自在に軸止して、操作摘みの回動操作に伴い光源が所定方向へ回動するよう形成し、
該回動機構の作動により前記光源を回動させて、照射される光の指向性を、前記光源面積最小の位置と最大の位置との間における任意の位置に設定可能に形成したことを特徴とする蛍光灯フラッドライト。
【請求項２】
上記光源が灯体内に複数列配設されており、該複数列の光源の内の隣接する二列の光源を一組とし、操作摘みの回動操作による回動機構の作動に伴い、前記一組の光源における一方の光源と他方の光源が各々対称方向へ回動するよう形成したことを特徴とする請求項１記載の蛍光灯フラッドライト。
【請求項３】
上記光源が灯体内に複数列配設されており、該複数列の光源の内、操作摘みの回動操作による回動機構の作動に伴い、灯体中心から一半部側に配設された光源群と、他半部側に配設された光源群とが各々対称方向へ回動するよう形成したことを特徴とする請求項１記載の蛍光灯フラッドライト。
【請求項４】
上記光源が灯体内に複数列配設されており、操作摘みの回動操作による回動機構の作動に伴い、上記複数列の光源が互いに同一方向へ回動するよう形成したことを特徴とする請求項１記載の蛍光灯フラッドライト。
【発明の詳細な説明】
【０００１】
【発明の属する技術分野】
本発明は、舞台照明やＴＶスタジオ照明等に用いられるフラッドライトに関し、特に、複数本の管状蛍光灯を並列状に備える光源を灯体内に収納状に配してなる蛍光灯フラッドライトの照射光の指向性等を調整する機構に関する。
【０００２】
【従来の技術】
従来から、劇場舞台やＴＶスタジオ等で用いる照明装置の一種として、地明かり（ベース明かり）を作るためのベース照明として使用されるフラッドライトが知られている。
この種フラッドライトは、前方を開口する灯体内に光源と反射器を収納し、柔らかい光を比較的広い範囲で前方へ照射するようになっており、光源としてハロゲン電球を用いるタイプと、蛍光灯を用いるタイプがある。
【０００３】
ハロゲン電球を用いるタイプでは、光源が小さいため反射器の曲面形状を工夫する等により光の広がり（光の指向性）を容易に制御することができる等の利点がある一方、電力が熱に変換される割合が高く効率が悪いという問題がある。
これに対し蛍光灯を用いるタイプでは、電力が光に変換される割合が高く、省電力，高効率低ワット，低発熱などの利点があるものの、光源が大きいため反射器形状の工夫等による光の指向性の制御が困難であるという問題がある。
【０００４】
【発明が解決しようとする課題】
本発明はこのような従来事情に鑑みてなされたものであり、その目的とする処は、省電力，高効率低ワット，低発熱などの利点を有する蛍光灯を用いながら、照射光の指向性を任意に調整することができる蛍光灯フラッドライトを提供することにある。
【０００５】
【課題を解決するための手段】
以上の目的を達成するために本発明に係る蛍光灯フラッドライトは、灯体内に、複数本の管状蛍光灯を並列状に備える光源を一又は複数配すると共に、該光源の後方に設けた反射器により、前記光源の光を前方へ照射するよう形成し、
前記光源を、複数本の管状蛍光灯が光の照射方向に対して前後に重なる見掛け上の光源面積最小の位置と、複数本の管状蛍光灯が光の照射方向に対して上下又は左右に並ぶ見掛け上の光源面積最大の位置との間を回動自在となるよう灯体内にて支持する回動機構を備え、
前記回動機構は、操作摘みの回動操作によって相反する方向へ摺動する少なくとも二本のリンク杆を有し、何れか一方のリンク杆の適所に光源の端部を回動自在に軸止して、操作摘みの回動操作に伴い光源が所定方向へ回動するよう形成し、
該回動機構の作動により前記光源を回動させて、照射される光の指向性を、前記光源面積最小の位置と最大の位置との間における任意の位置に設定可能に形成したことを特徴とする。
【０００６】
上記灯体は通常、正面側を開口する略箱状に形成され、光源は、その灯体内における上下面部間にわたってほぼ水平に支持されるか、または左右面部間にわたってほぼ垂直に支持される。また灯体内には、一つの光源を配設しても良いし、二以上の複数の光源を配設しても良い。
【０００７】
回動機構におけるリンク杆は、光源の数、各光源を対象方向へ回動させる場合、各光源を同一方向へ回動させる場合などの各種条件に合せて、光源の左右両端部に一本づつの計二本設ける、光源の左右両端部に二本づつの計四本設けるなど、種々の対応が可能である。
【０００８】
このように形成した場合、上記光源面積最小の位置では、複数本の管状蛍光灯が光の照射方向に対し前後に重なるので、光源が邪魔にならず反射光は最大になるが、見掛け上（灯体の正面側から見た状態）において光源面積が最小になり光源からの照射光が少なくなる。よって、指向性の高いビーム状の光が照射される。一方、光源面積最大の位置では、複数本の管状蛍光灯が光の照射方向に対して上下又は左右に並ぶので、光源が邪魔になって反射光は最小になるが、見掛け上（灯体の正面側から見た状態）において光源面積が最大になり光源からの照射光が多くなる。よって、指向性の低い拡散状の光が照射される。
そうして本発明では、操作摘みの回動操作による回動機構の作動に伴い、光源面積最小から最大の位置まで光源を連続的に回動させて、光源を任意の位置で固定することができるので、前記指向性の高い光の照射状態と、指向性の低い光の照射状態との間において、任意な指向性の照射光を得ることができる。
【０００９】
上記光源は通常、灯体内の上下方向又は左右方向に対し並列状に複数列配設され、灯体に設けた操作摘みの回動操作による回動機構の作動に伴い、各光源が同一方向または正逆方向へ回動する。
【００１０】
各光源を正逆方向へ回動させる態様として、複数列の光源の内の隣接する二列の光源を一組とし、該一組の光源における一方の光源と他方の光源が各々対称方向へ回動する態様、灯体中心から一半部側に配設された光源群と、他半部側に配設された光源群とが各々対称方向へ回動する態様などが例示できる。
【００１１】
また本発明の具体的態様として、上記反射器を、光の照射方向に対し凹状又は凸状となる反射面を有するものとし、前記複数列の光源を、その反射面に沿って凹状又は凸状に配列することが例示できる。
【００１２】
また上記光源は、二本の管状蛍光灯を並列状に備えるタイプや、四本の管状蛍光灯を並列状に備えるタイプなどが例示できる。また上記光源として、複数本の管状蛍光灯の長さ方向一端側に設けた口金によりそれら管状蛍光灯を片持ち状に支持するものや、複数本の管状蛍光灯の長さ方向両端に設けた口金によりそれら管状蛍光灯を両持ち状に支持するものなどが例示できる。
光源を複数列設ける場合は二列以上であればよいが、各光源が正逆方向へ回動するよう形成する場合は、二列、四列、六列、八列など、複数列設ける方が好ましい。
【００１３】
【発明の実施の形態】
以下、本発明に係る蛍光灯フラッドライトの実施形態例を図面に基づいて説明する。
図１〜図４では、二本の管状蛍光灯を並列状に備える光源を、灯体の上下方向に対し並列状に四列配すると共に、該四列の光源の内の任意の光源が正方向へ回動し、残る光源が逆方向へ回動する態様の一例として、隣接する二列の光源を一組とし、操作部の操作に伴い、前記一組の光源における一方の光源と他方の光源が各々対称方向へ回動するよう形成した蛍光灯フラッドライトＡを示す。
【００１４】
すなわちこの蛍光灯フラッドライトＡは、灯体１と、灯体１内に配設された四列の光源２−１〜２−４−１，２−２，２−３，２−４と、これら光源２−１〜２−４−１〜２−４の後方において灯体１内に取り付けられ各光源２−１〜２−４の光を前方へ反射する反射器３と、各々の光源２−１〜２−４を、操作部としての操作摘み４の操作で回動させる回動機構５などを備え、柔らかい光を比較的広い範囲で前方へ照射するようにしたフラッドライトである。
【００１５】
灯体１は図１に示すように、金属製の板材を曲げ加工して正面側が開放する横長矩形状の箱型に成形された本体１ａと、この本体１ａの正面開口縁に角度調整可能に取り付けられた補助反射器１ｂから形成されており、この灯体１の内部背面側に反射器３が取り付けられている。
【００１６】
反射器３は図２，図３に示すように、前面側に光を反射可能な表面処理を施した金属板を曲げ加工して、四列の光源２−１〜２−４を後側と上下左右両側から囲むようにして灯体１内に固定され、四列の光源２−１〜２−４が後方に発した光を前方へ照射するように形成されている。
また反射器３は、各光源２−１〜２−４の後側に位置する反射面において、各々の光源２−１〜２−４ごとに曲面３’を有している。
【００１７】
光源２−１〜２−４は、並列状の二本の管状蛍光灯２ｂ，２ｂにおける長さ方向基端側を口金部２ａで片持ち状に支持する二本管型の所謂ＦＰＬ型の蛍光灯である。そしてこれら光源２−１〜２−４は、灯体１内の左右一方の側面に回動自在に設置されたソケット部６ａに基端側の口金部２ａを取り付けると共に、灯体１内の左右他方の側面に回動自在に設置された支持体６ｂに先端側を取り付けることにより、各光源２−１〜２−４が灯体１内の上下方向に対して並列するよう設置されている。
尚、本例では図２，図３に示す如く、各光源２−１〜２−４の中心が、灯体１の上下方向に対し同一直線状に位置するよう配設されている。
【００１８】
ソケット部６ａ，支持体６ｂは図２，図３に示すように、灯体１内の左右側面において、上下方向へ四箇所設けた開孔内に回動自在に埋め込まれており、光源２−１〜２−４における二本の管状蛍光灯２ｂ，２ｂが光の照射方向に対して前後に重なる見掛け上の光源面積最小の位置（図２，図４参照）と、二本の管状蛍光灯２ｂ，２ｂが光の照射方向に対して上下に並ぶ見掛け上の光源面積最大の位置（図３参照）との間を回動自在となるよう、各光源２−１〜２−４を灯体１内に支持している。
【００１９】
また、灯体１内の一方の側面のソケット部６ａの内、最下段と上から二段目のソケット部６ａには左右の縦リンク杆７ａ，７ｂが夫々左右のピン８ａ，８ｂにより回動自在に軸止され、他方の側面の支持体６ｂの内、最上段と下から二段目の支持体６ｂには左右の縦リンク杆７ｃ，７ｄが夫々左右のピン８ｃ，８ｄにより回動自在に軸止されている。
【００２０】
また、各左右の縦リンク杆７ａ，７ｂ、７ｃ，７ｄの下端部には、横リンク杆９ａ，９ｂの左右端部がピン１０ａ，１０ｂにより回動自在に軸止されている。さらに、一方の横リンク杆９ａの長さ方向中心部には、操作摘み４と一体に回動する軸１１が連結され、他方の横リンク杆９ｂの長さ方向中心部には、前記軸１１と一体に回転する歯車１２に噛合う歯車１３と一体に回転して操作摘み４と逆方向へ回動する軸１４が連結されている。
【００２１】
これにより、四列の光源２−１〜２−４の内、隣接する二列の光源２−１と２−２、２−３と２−４を一組とし、それら一組の光源において、操作摘み４の回動操作に伴い、上側の光源２−１，２−３が正方向へ回動すると共に下側の光源２−２，２−４が逆方向へ回動し、すなわち、夫々の組において光源２−１，２−２、２−３，２−４は外側へ向けて対象方向へ回転し、且つ夫々の光源２−１〜２−４は、前述した光源面積最小の位置と最大の位置との間を回動するよう形成される。
【００２２】
以上のように構成した本例の蛍光灯フラッドライトＡは、操作摘み４の操作により四列の光源２−１〜２−４を、各光源２−１〜２−４における二本の管状蛍光灯２ｂ，２ｂが光の照射方向に対して前後に重なる光源面積最小の位置と、二本の管状蛍光灯２ｂ，２ｂが光の照射方向に対して上下に並ぶ光源面積最大の位置との間で連続して回動させることが出来るので、各光源２−１〜２−４を任意角度に位置調整することができる。
【００２３】
すなわち、各光源２−１〜２−４が前記光源面積最小の位置にある時は、各々の光源２−１〜２−４において、二本の管状蛍光灯２ｂ，２ｂが光の照射方向に対して前後に重なって（光の照射方向に対し二本の管状蛍光灯２ｂ，２ｂの並列角度が０度になって）、見掛け上の光源面積が最小になり、反射光が最大になることにより、指向性の高いビーム状の光が照射される（図５：イ参照）。
【００２４】
一方、各光源２−１〜２−４が前記光源面積最大の位置にある時は、各々の光源２−１〜２−４において、二本の管状蛍光灯２ｂ，２ｂが光の照射方向に対して上下に並列する状態になって（光の照射方向に対し二本の管状蛍光灯２ｂ，２ｂの並列角度が９０度になって）、見掛け上の光源面積が最大になり、反射光が最小になることにより、指向性の低い拡散状の光が照射される（図５：ロ参照）。
【００２５】
また、操作摘み４の操作により各々の光源２−１〜２−４が回動して、各光源における二本の管状蛍光灯２ｂ，２ｂの並列角度が０度〜９０度まで変化する過程を図６に示す。また前記角度が０度、２５度、４５度、７０度、９０度である時の、照射される光の指向性（照射面における照射光の量）を図７に示す。
図７から明らかなように、前記角度が０度の時は指向性の高いビーム状の光が照射され、９０度の時は指向性の低い拡散状の光が照射され、且つ光の照射方向に対し０度から９０度まで連続的に変化させていった場合、照射される光の指向性は次第に低くなっていく。従って、前記並列角度を０度〜９０度の範囲内で任意に設定することで、劇場舞台やＴＶスタジオ等において、任意の指向性を持ったベース照明を得ることができる。
【００２６】
尚、複数列の光源の内の任意の光源が正方向へ回動し、残る光源が逆方向へ回動する態様の他例として、図１〜図４に示すフラッドライトＡにおける回動機構の一部変更により、操作摘み４の操作に伴い、前述した二組の光源において、夫々の組の光源２−１，２−２、２−３，２−４が内側へ向けて対象方向へ回転するよう形成したり（図８参照）、若しくは、図９に示すように、灯体中心から一半部側（上側）に配設された光源群と、他半部側（下側）に配設された光源群とが各々対称方向へ回動するよう形成することも可能である。
【００２７】
すなわち図８では、操作摘み４の回動操作によって、上側の光源２−１，２−３が逆方向へ回動し、下側の光源２−２，２−４が正方向へ回動するようにし、夫々の組において光源２−１，２−２、２−３，２−４は内側へ向けて対象方向へ回転するよう構成した形態例を模式的に示す。
図９には、操作摘み４の回動操作によって、上側の組の光源２−１，２−２が逆方向へ回動し、下側の組の光源２−３，２−４が正方向へ回動するようにし、上二列の光源２−１，２−２と下二列の光源２−３，２−４とが内側へ向けて対象方向へ回転するよう構成した形態例を模式的に示す。
各光源２−１〜２−４の回転方向は、左右の縦リンク杆７ａ〜７ｄに対する各光源２−１〜２−４の軸止位置を適宜に設定することで任意に選択可能であることは言うまでもない。
また図８、図９に示す形態とした場合も、図７に示す指向性特性と同様の結果が得られることは確認済みである。
【００２８】
図１０，図１１では、上述した蛍光灯フラッドライトＡにおける回動機構を一部変更して、操作摘み４の操作により上記夫々の光源２−１〜２−４が同一方向へ回動するよう形成した例を示す。尚、それ以外の構成については前述した例と同様のため、重複する説明と図示を一部省略する。
【００２９】
この例の蛍光灯フラッドライトＡ’は、灯体１内における左右側面の各々のソケット部６ａ，支持体６ｂに、左右の縦リンク杆２０ａ，２０ｂが夫々左右のピン２１ａ，２１ｂにより回動自在に軸止されている。
また、夫々の左右の縦リンク杆２０ａ，２０ｂの下端部には、横リンク杆２２の左右端部がピン２３ａ，２３ｂにより回動自在に軸止されている。さらに、夫々の横リンク杆２２の長さ方向中心部には、操作摘み４と一体に回動する軸２４が連結されている。
これにより、操作摘み４の回動操作によって、四列の光源２−１〜２−４が正方向へ回動し、前述した光源面積最小の位置と最大の位置との間を回動するよう形成される。
【００３０】
以上のように構成したこの例の蛍光灯フラッドライトＡ’は、操作摘み４を操作して四列の光源２−１〜２−４を連続的に回動させ、二本の管状蛍光灯２ｂ，２ｂが光の照射方向に対して前後に重なる光源面積最小の位置と、二本の管状蛍光灯２ｂ，２ｂが光の照射方向に対して上下に並ぶ光源面積最大の位置との間において、各光源２−１〜２−４を任意角度に位置調整することができる。
【００３１】
すなわち、各光源２−１〜２−４が前記光源面積最小の位置にある時は、図５（イ）に示すように光源２−１〜２−４の見掛け上の光源面積が最小になり、反射光が最大になることにより、指向性の高いビーム状の光が照射される。一方、各光源２−１〜２−４が前記光源面積最大の位置にある時は、図５（ロ）に示すように光源２−１〜２−４の見掛け上の光源面積が最大になり、反射光が最小になることにより、指向性の低い拡散状の光が照射される。
【００３２】
またこの例において、操作摘み４の操作により各々の光源２−１〜２−４が回動して、各光源における二本の管状蛍光灯２ｂ，２ｂの並列角度が０度〜９０度まで変化する過程を図１２に示す。また前記角度が０度、２５度、４５度、７０度、９０度である時の、照射される光の指向性（照射面における照射光の量）を図１３に示す。
これらの図から明らかなように、光の照射方向に対し０度から９０度まで連続的に変化させていった場合、照射される光の指向性は次第に減少していく。従って、前記並列角度を０度〜９０度の範囲内で任意に設定することで、劇場舞台やＴＶスタジオ等において、任意の指向性を持ったベース照明を得ることができる。
【００３３】
尚、上述したように、図１〜４に示すフラッドライトＡでは、操作摘み４の操作に伴い、光源２−１，２−３が正方向へ、光源２−３，２−４が逆方向へ夫々対称的に回動するので、上記並列角度を０度から９０度に変化させる過程において、照射される光の指向性は次第に低くなっていくという特性がある。これに対し、図１０，図１１に示すフラッドライトＡ’では、四列の光源２−１〜２−４が互いに同一方向へ回動するので、照射される光の指向性は次第に減少していくという特性があり、これらフラッドライトＡ，Ａ’は、要求される地明かりに対応して選択的に使用されることは言うまでもない。
【００３４】
また、図示例においては、二本の管状蛍光灯が片持ち状に支持された二本平行管型の所謂ＦＰＬ型の蛍光灯で光源を構成したが、光源はこれに限定されるものではなく、複数本の管状蛍光灯が平行に支持された扁平状の光源であれば同様の効果を得ることができる。例えば、四本の管状蛍光灯が片持ち状に支持された四本平行管型の所謂ＦＭＬ型の蛍光灯や、二本若しくは四本の管状蛍光灯を、左右両側の口金部で並列状に支持した蛍光灯を光源として用いることができる。さらに、光源の数を六列、八列等に増やした場合も前記と同等の効果が得られることを確認済みである。
【００３５】
【発明の効果】
本発明に係る蛍光灯フラッドライトは以上説明したように構成されているので、以下に記載されるような効果を奏する。
（請求項１、４）
光源面積を最小に設定した状態では光源から直接照射される光が最小になり反射光が最大になることにより、ビーム状の光が放射されて指向性の高い照射光を得ることができ、光源面積を最大に設定した状態では光源から直接照射される光が最大になり反射光が最小になることにより、指向性の低い拡散状の照射光を得ることができ、且つ、光源面積最小から最大までの間を連続的に変化させることができるので、照射光の指向性，特性を無段階で自由に設定することができる。従って、省電力，高効率低ワット，低発熱などの蛍光灯の利点に加え、光源を回動させることで照射光の指向性を幅広い範囲内において任意に調整することができ、劇場舞台やＴＶスタジオ等において新規なベース照明を提供し得るなどの効果がある。光源を複数列配した場合は、前記効果をより実効あるものとし得る。
また、リンク杆、リンク機構で構成される回動機構を採用することで、簡単、安価な構造で前述の効果を得ることができる。
【００３６】
（請求項２）
一組の光源における一方の光源と他方の光源が各々対称方向へ回動するよう形成したので、指向性の制御が極めて容易になる等の効果がある。
【００３７】
（請求項３）
一半部側に配設された光源群と、他半部側に配設された光源群とが各々対称方向へ回動するよう形成したので、指向性の制御が極めて容易になる等の効果がある。
【図面の簡単な説明】
【図１】本発明に係る蛍光灯フラッドライトの実施形態の一例を示す斜視図。
【図２】図１に示すフラッドライトの縦断側面図で、見掛け上の光源面積最小の位置の状態を表す。
【図３】同フラッドライトの縦断側面図で、見掛け上の光源面積最大の位置の状態を表す。
【図４】同フラッドライトの要部を示す内部構造の斜視図。
【図５】見掛け上の光源面積最小の時（０度）と、見掛け上の光源面積最大の時（９０度）の照射光の特性を示す模式図。
【図６】光源面積最小の位置から最大の位置までの変化の過程を示す模式図。
【図７】光源面積最小の位置から最大の位置までの変化の過程における０度、２５度、４５度、７０度、９０度の時の照射光の量を示す模式図。
【図８】光源の回動方向の別態様を表す模式図。
【図９】光源の回動方向の別態様を表す模式図。
【図１０】本発明に係るフラッドライトの実施形態の他例を示す縦断側面図で、見掛け上の光源面積最小の位置の状態を表す。
【図１１】同フラッドライトの縦断側面図で、見掛け上の光源面積最大の位置の状態を表す。
【図１２】同フラッドライトの光源面積最小の位置から最大の位置までの変化の過程を示す模式図。
【図１３】同フラッドライトにおける光源面積最小の位置から最大の位置までの変化の過程における０度、２５度、４５度、７０度、９０度の時の照射光の量を示す模式図。
【符号の説明】
１：灯体
２−１，２−２，２−３，２−４：光源
２ａ：口金部
２ｂ：管状蛍光灯
３：反射器
４：操作摘み（操作部）
５：回動機構
６ａ：ソケット部
６ｂ：支持体
７ａ，７ｂ，７ｃ，７ｄ，２０ａ，２０ｂ：縦リンク杆
９ａ，９ｂ，２２：横リンク杆
【図１】
2004055215.tif 000003
【図２】
2004055215.tif 000004
【図３】
2004055215.tif 000005
【図４】
2004055215.tif 000006
【図５】
2004055215.tif 000007
【図６】
2004055215.tif 000008
【図７】
2004055215.tif 000009
【図８】
2004055215.tif 000010
【図９】
2004055215.tif 000011
【図１０】
2004055215.tif 000012
【図１１】
2004055215.tif 000013
【図１２】
2004055215.tif 000014
【図１３】
2004055215.tif 000015